(57)【要約】【課題】搬送物底面の出張り部分、走行面の突部等による搬送物、走行面相互間の接触回避のために走行面との間隔を調整して搬送物を一時的にでも持ち上げるようにする。【解決手段】車輪３（２３，２４）を備えた台車本体１に、この台車本体１に搭載した搬送物を昇降させるジャッキ１０を配装して成り、ジャッキ１０は台車本体１内に設けられていて、非作動時のピストンロッド１３の上端部を台車本体１の上側壁４部位に位置させて構成する。ジャッキ１０は、ジャッキ外壁１１の上端部に設けたフランジ状の連結板１２を上側壁４下面に当接状態でネジ止めしてあり、ジャッキ１０の供給カップラ１４を台車本体１の側壁に設けた連結口を経て外出させてある。台車本体１は、駆動機構２０を配して自走式の構造にしたり、自由に転動する車輪３によって従動式の構造にしたりして構成してある。【選択図】図２
2020045222.tif 000002
【特許請求の範囲】
【請求項１】
車輪を備えた台車本体に、この台車本体に搭載した搬送物を昇降させるジャッキを配装して成り、ジャッキは台車本体内に設けられていて、非作動時のピストンロッドの上端部を台車本体の上側壁部位に位置させてあることを特徴とするジャッキ付ローラー台車。
【請求項２】
ジャッキは、ジャッキ外壁の上端部に設けたフランジ状の連結板を上側壁下面に当接状態でネジ止めしてある請求項１に記載のジャッキ付ローラー台車。
【請求項３】
ジャッキの供給カップラを台車本体の側壁に設けた連結口を経て外出させてある請求項１または２に記載のジャッキ付ローラー台車。
【請求項４】
台車本体は、駆動機構を配して自走式の構造にしたり、自由に転動する車輪によって従動式の構造にしたりして構成してある請求項１乃至３のいずれかに記載のジャッキ付ローラー台車。
【発明の詳細な説明】
【技術分野】
【０００１】
本発明は、重量的に嵩張る搬送物である例えば各種工場、工事現場等における諸機器等の据付あるいは移動に際し、これらを搬送する場合に搬送物の例えば底面に出張り部分があるときに走行面との間隔を大きくするよう持ち上げたり、走行面に突部があるときの回避のために諸機器を一時的にでも若干高く持ち上げたりする等で、走行面との間隔高さを調整できるようにしたジャッキ付ローラー台車に関する。
【背景技術】
【０００２】
従来から、諸機器その他の搬送物を移動搬送するには、移動走行面上で走行可能な車輪を有する台車上にこれらを搭載して行っている。また、搭載した搬送物を例えば所定高さ位置にある棚等の載置面に移し替えるために昇降させるようにジャッキを備えることで、これに対処可能にした台車も提案されている。例えば特許文献１に示されるような運搬台車であり、特許文献２に示されるような自走輪圧増加式牽引台車等である。
【０００３】
特許文献１に示される運搬台車は、車輪を備えた台車本体上に、載置台を昇降させるジャッキを配装してあって、ジャッキ操作によって起伏する脚部材によって載置台を昇降させるようにしている。特許文献２に示される牽引台車は、搬送台車の端部下方に差し入れられるようにした牽引台車上にジャッキを配装してあって、ジャッキ操作によって搬送台車の端部を押し上げることで牽引台車自身の輪圧を増加させ、これによって搬送台車を効率的に牽引できるようにしている。
【先行技術文献】
【特許文献】
【０００４】
【特許文献１】特開平２−２３１９８号公報
【特許文献２】実開平４−７５７６４号公報
【発明の概要】
【発明が解決しようとする課題】
【０００５】
ところが、特許文献１の運搬台車は、台車本体上に配した載置台をジャッキ・脚部材によって昇降させる構成としてあるため、例えば重量的に嵩張る産業用各種機器を搬送するために載置台上に搭載し、持ち上げるとしても十分に支持できず、その昇降作動はほとんど困難である。特許文献２の牽引台車は、搬送台車を牽引するためにジャッキを搬送台車端部に下方から突き当て状に持ち上げることで牽引台車自体の走行面に対する輪圧を大きくするにすぎず、ジャッキによって搬送物自体を持ち上げるものではない。
【０００６】
そこで本発明は叙上のような従来存した諸事情に鑑み創出されたもので、その目的は各種の重量的に嵩張る諸機器等の搬送物を台車に搭載して搬送するに際し、例えば搬送物底面に突起物があるときに走行面との間隔を大きくするよう持ち上げ、あるいは搬送中で走行面に存する突起物を回避するために一時的にでも持ち上げられるようにしてスムーズに搬送作業を実施できるようにしたジャッキ付ローラー台車を提供することにある。
【課題を解決するための手段】
【０００７】
上述した課題を解決するため、本発明にあっては、車輪３（２３，２４，２７）を備えた台車本体１に、この台車本体１に搭載した搬送物Ｌを昇降させるジャッキ１０を配装して成り、ジャッキ１０は台車本体１内に設けられていて、非作動時のピストンロッド１３の上端部を台車本体１の上側壁４部位に位置させてあることを特徴とする。
ジャッキ１０は、ジャッキ外壁１１の上端部に設けたフランジ状の連結板１２を上側壁４下面に当接状態でネジ止めして構成することができる。
ジャッキ１０の供給カップラ１４を台車本体１の側壁に設けた連結口５を経て外出させて構成することができる。
台車本体１は、駆動機構２０を配して自走式の構造にしたり、自由に転動する車輪３によって従動式の構造にしたりして構成することができる。
【０００８】
以上のように構成された本発明に係るジャッキ付ローラー台車にあって、台車本体１は、この台車本体１自体に備えられた車輪３（２３，２４，２７）によって自由に走行面上で移動走行でき、台車本体１上に搭載した搬送物Ｌは、例えば搬送物Ｌの底面に出張り部分が設けられていたり、走行面上に突起物が存在していたりするとき、ジャッキ１０によって搬送物Ｌを所定高さ位置に一時的にでも持ち上げて上昇位置決めさせることで、走行中における搬送物Ｌの出張り部分の走行面との、あるいは搬送物Ｌの走行面の突起物との接触等を回避させる。
ジャッキ外壁１１の連結板１２と台車本体１の上側壁４との当接ネジ止めで、ジャッキ１０自体を台車本体１内に収納させ、ジャッキ１０を含めた台車本体１全体をコンパクトに構成させる。
台車本体１の側壁に設けた連結口５は、ジャッキ１０の供給カップラ１４への作動油を供給する作動油供給パイプＰとの連結を容易にさせる。
駆動機構２０を配した台車本体１は、この台車本体１に搭載した搬送物Ｌを直接に移動走行させ、またこの駆動機構２０を組み込まずに自由に転動する車輪３を備えた台車本体１は搬送物Ｌを移動走行させるときの荷重を補助的にでも支持させる。
【発明の効果】
【０００９】
本発明は以上説明したように構成されているため、台車本体１に搭載した搬送物Ｌの例えば底面に突起物があったり、走行面上に突起物があったりしたときにジャッキ１０によって搬送物Ｌを一時的にでも持ち上げることで、例えばこれらの突起物に伴う搬送物Ｌ、走行面相互間の接触等を回避できる。
【００１０】
すなわちこれは本発明において、台車本体１に搭載した搬送物Ｌを昇降させるジャッキ１０を台車本体１内に設け、非作動時のピストンロッド１３の上端部を台車本体１の上側壁４部位に位置させたからであり、搬送中における必要に応じての搬送物Ｌの一時的持ち上げ、台車本体１のコンパクトな構成等を可能にしている。
【００１１】
また、ジャッキ外壁１１の上端部に設けた連結板１２を、台車本体１の上側壁４の下面に当接状態でねじ止めすることで、ジャッキ１０自体は台車本体１内に収納されることになり、例えばいわゆる低身型、フラット型のジャッキ１０の台車本体１内への組み込みを簡便にし、ジャッキ１０を含めた台車本体１全体をコンパクトに構成できることで、車輪３を有するローラー台車としての取扱いも容易にする。
【００１２】
台車本体１の側壁には連結口５を設け、この連結口５を経て外出させるようにジャッキ１０の供給カップラ１４を配置させることで、ジャッキ１０に作動油を供給するための作動油供給パイプＰとの連結、更には例えば複数台で使用するときの作動油の供給制御を容易に行える。
【００１３】
台車本体１には駆動機構２０を配して自走式とすることで、この台車本体１に搭載した搬送物Ｌを直接に移動走行でき、またこの駆動機構２０を組み込まずに自由に転動する車輪３を備えたままの台車本体１とし、例えば自走式の台車本体１と適宜に組み合わせて搬送物Ｌを搭載することで、移動走行させるときの搬送物Ｌの荷重を補助的にでも分担支持して安全に、しかも安定状態で搬送することができる。
【００１４】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１５】
【図１】本発明を実施するための一形態を示す斜視図である。
【図２】同じくその側断面図である。
【図３】同じく平断面図である。
【図４】同じく他の形態における斜視図である。
【図５】同じく使用状態の一例における斜視図である。
【発明を実施するための形態】
【００１６】
以下、図面を参照して本発明を実施するための一形態を説明すると、図において示される符号１は台車本体であり、前後の側壁、左右の側壁等によって平面から見てほぼ矩形状に囲繞された枠部２内の前後に適数の車輪３を配装してあり、枠部２の上面は上側壁４によって覆われている。
【００１７】
この台車本体１における上側壁４面位置に比し後述するピストンロッド１３の受圧面を若干突出した状態にした低身型あるいはフラット型と称されるジャッキ１０が台車本体１内に配装してある。このジャッキ１０は、ジャッキ外壁１１の上端部近傍に固定してあるフランジ状の連結板１２を上側壁４の下面に当接させて例えば複数箇所でネジ止めすることで、台車本体１内に収納された状態で上側壁４に支持固定されている。
【００１８】
また、ジャッキ１０は、ジャッキ外壁１１内に作動油供給パイプＰを経て外部から供給される作動油によって昇降されるピストンロッド１３を内装してなり、ピストンロッド１３内に作動油を供給するようジャッキ外壁１１に設けた供給カップラ１４には、台車本体１の例えば左右の側壁のいずれか一方に開口形成した連結口５を経て外出されるように配してあり、この供給カップラ１４に外部から作動油を供給する作動油供給パイプＰが連結されるようにしてある。
【００１９】
ジャッキ１０自体は、台車本体１内に収納される程度の高さを有する、いわゆる低身型あるいはフラット型のものであり、前記したようにジャッキ１０のピストンロッド１３の上端部分は、ジャッキ１０の非作動状態である作動前においては台車本体１の上側壁４の上面から僅かに突出させた状態となしてある。
【００２０】
しかして、図1乃至図３に示される台車本体１は、内部に駆動機構２０を備えた自走式構造のものとして構成してあり、図示のように、例えば前部に配した電動機の如き駆動源２１と、この駆動源２１の駆動力を適宜に減速出力させるようにした例えば波動歯車機構（ハーモニックドライブ…登録商標）による減速機構２２と、減速機構２２からの減速出力によって駆動走行されるよう後部に配した駆動輪２３（３）とを備えて成る。なお、図中符号２４（３）は前部左右に対状に配された補助輪であり、２５は駆動輪２３の駆動あるいは停止を制御するクラッチ機構、２６はハンドルその他と連繋させる連繋片である。
【００２１】
なお、駆動機構２０を備えた台車本体１において、駆動あるいは停止を操作するクラッチ機構２５を設けることで、クラッチ機構２５によって駆動伝達力を一時的に遮断し、駆動輪２３（３）をフリー回転できるようにすると、この場合には、後述するように、駆動機構２０を組み込まない補助的な従動式構造のものと同様に使用可能である。
【００２２】
この自走式の台車本体１は、入力される電力によって所定の速度で走行可能であり、搭載された搬送物Ｌを移動走行させることができる。
【００２３】
図４に示される台車本体１は、駆動機構を備えない、補助的な従動式構造のものとして構成してあり、図示のように、自由に転動する車輪２７（３）を前後に配して成る。なお、図中符号２８は、ジャッキ１０の供給カップラ１４を外出させている連結口５の左右の側壁面に設けた支持片である。
【００２４】
次にこれの使用の一例を説明すると、本発明に係るローラー台車を図５に示すように例えば重量的に嵩張る搬送物Ｌの底面に例えばその四隅に配し、少なくとも一つは自走式構造のものとしておく一方、それぞれの台車本体１におけるジャッキ１０の供給カップラ１４に作動油を供給する作動油供給パイプＰを連結しておく。次いで、搬送物Ｌを移動させるよう自走式の台車本体１を走行させることで搬送させ、その搬送に際し、例えば搬送物Ｌの底面や走行面に突起物が存している場合に、作動油を供給したジャッキ１０によって搬送物Ｌを一時的にでも持ち上げ、底面の突起部が走行面に接触したり、走行面の突起物に搬送物Ｌが接触したりしないようにする。こうすることで搬送物Ｌを安全に移動走行させることができる。
【符号の説明】
【００２５】
Ｌ…搬送物
Ｐ…作動油供給パイプ
１…台車本体
２…枠部
３…車輪
４…上側壁
５…連結口
１０…ジャッキ
１１…ジャッキ外壁
１２…連結板
１３…ピストンロッド
１４…供給カップラ
２０…駆動機構
２１…駆動源
２２…減速機構
２３…駆動輪
２４…補助輪
２５…クラッチ機構
２６…連繋片
２７…車輪
２８…支持片
【図１】
2020045222.tif 000003
【図２】
2020045222.tif 000004
【図３】
2020045222.tif 000005
【図４】
2020045222.tif 000006
【図５】
2020045222.tif 000007
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
駆動機構を備えた自走式の台車本体に、この台車本体に搭載した搬送物を昇降させるジャッキを配装して成り、ジャッキは台車本体内に設けられていて、非作動時のピストンロッドの上端部を台車本体の上側壁部位に位置させてあって、ジャッキ外壁の上端部に設けたフランジ状の連結板を台車本体の上側壁下面に当接状態でネジ止めしてあり、前記駆動機構は、駆動源と、この駆動源の駆動力を適宜に減速出力させる波動歯車機構による減速機構と、減速機構からの減速出力によって駆動走行されるようにした駆動輪とを備えると共に、駆動あるいは停止を操作するクラッチ機構を設けて成ることを特徴とするジャッキ付ローラー台車。
【請求項２】
ジャッキの供給カップラを台車本体の側壁に設けた連結口を経て外出させてある請求項１に記載のジャッキ付ローラー台車。